(57)【要約】【課題】【解決手段】ブラジャーの所望部分中に編み込まれたテリーループのステッチ構造を有するブラジャーが与えられている。このテリーループは，トルーシンカーで形成されたテリーループ又はモックテリーループであってよい。このブラジャーは，単一層のブラジャー又は二層のブラジャーであってよい。このブラジャーを製造するためのブランクと，このブラジャーを製造するための方法とが，また，与えられている。
2006511720.tif 000002
【特許請求の範囲】
【請求項１】
円筒形状のブランクから形成されたブラジャーであって，
下方バンドにシームレスに結合された下方エッジを備えた布を有している上方胴部と，
ブラジャーの前記布の１つ以上の選定されたエリア内に，一体的に編み込まれたテリーループのステッチ構造とを具備しているブラジャー。
【請求項２】
前記テリーループのステッチ構造は，トルーシンカーで形成されたテリーループ又はモックテリーループを有している請求項１のブラジャー。
【請求項３】
前記上方胴部は，１対の胸カップを有しており，前記テリーループのステッチ構造は，少なくともこの１対の胸カップ中に編み込まれている請求項１のブラジャー。
【請求項４】
前記上方胴部は，１対のストラップ部分を有しており，前記テリーループのステッチ構造は，この１対のストラップ部分中に編み込まれている請求項１のブラジャー。
【請求項５】
前記テリーループのステッチ構造は，綿と，超極細のテクスチャード加工ナイロンと，連続的な多繊維のテクスチャード加工ナイロンとを構成しているグループから選定された，親水性の織糸を有している請求項１のブラジャー。
【請求項６】
前記下方バンドにシームレスに結合された下方エッジを備えた外側の布を有している第２の上方胴部を更に有している請求項１のブラジャー。
【請求項７】
内側の布及び外側の布を有し，これら布の各々が下方の縁飾りバンドにシームレスに結合された下方エッジを有している上方胴部と，
ブラジャーの前記布の少なくとも一方に，一体的に編み込まれたテリーループのステッチ構造とを具備している，円筒形状のブランクで形成された二層のブラジャー。
【請求項８】
前記テリーループのステッチ構造は，トルーシンカーで形成されたテリーループ又はモックテリーループを有している請求項７のブラジャー。
【請求項９】
前記上方胴部は，１対の胸カップを有しており，前記テリーループのステッチ構造は，前記胸カップの少なくとも内側の布に編み込まれている請求項７のブラジャー。
【請求項１０】
前記上方胴部は，１対の胸カップを有しており，前記テリーループのステッチ構造は，前記胸カップの少なくとも外側の布に編み込まれている請求項７のブラジャー。
【請求項１１】
前記テリーループのステッチ構造は，前記布間に形成されている請求項７のブラジャー。
【請求項１２】
前記上方胴部は，ストラップ部分を有しており，前記テリーループのステッチ構造は，前記ストラップ部分の少なくとも内側の布に編み込まれている請求項７のブラジャー。
【請求項１３】
前記テリーループのステッチ構造は，綿と，超極細のテクスチャード加工ナイロンと，連続的な多繊維のテクスチャード加工ナイロンとを構成しているグループから選定された，親水性の湿度のある芯となり得る織糸を有している請求項７のブラジャー。
【請求項１４】
前記内側の布及び外側の布は，布構造並びに/若しくは織糸構造が異なっている請求項７のブラジャー。
【請求項１５】
バンドにシームレスに結合された下方エッジを備えた布を有している上方胴部と，
この上方胴部の少なくとも選定された部分中に編み込まれたテリーループのステッチ構造とを具備している，ブラジャーの製造のためのブランク。
【請求項１６】
前記上方胴部は，１対の胸カップを更に有しており，前記テリーループのステッチ構造は，少なくともこの１対の胸カップ中に編み込まれている請求項１５のブランク。
【請求項１７】
前記テリーループのステッチ構造は，トルーシンカーで形成されたテリーループ又はモックテリーループを有している請求項１５のブランク。
【請求項１８】
前記テリーループのステッチ構造は，綿と，超極細のテクスチャード加工ナイロンと，連続的な多繊維のテクスチャード加工ナイロンとを構成しているグループから選定された，親水性の湿度のある芯となり得る織糸を有している請求項１５のブランク。
【請求項１９】
前記上方胴部は，前記バンドにシームレスに結合された下方エッジを有し，かつ前記内側の布を覆っている外側の布をさらに有している請求項１５のブランク。
【請求項２０】
前記選定された部分は，前記外側の布である請求項１９のブランク。
【請求項２１】
前記選定された部分は，前記布である請求項１９のブランク。
【請求項２２】
ほぼ円筒形のバンドを形成する方法と，
胴部の胸固定の前記バンドにシームレスに結合された下方エッジを備えたほぼ円筒形の上方胴部を形成する方法と，
前記上方胴部の選定された部分にテリーループのステッチ構造を編み込む方法とを具備している，ブラジャーを製造するためのほぼ円筒形のシームレスの丸編みブランクを形成する方法。
【請求項２３】
前記テリーループのステッチ構造は，トルーシンカーで形成されたテリーループ又はモックテリーループを有する請求項２２の方法。
【請求項２４】
前記上方胴部は，１対の胸カップを有しており，前記テリーループのステッチ構造は，少なくともこの１対の胸カップに編まれる請求項２２の方法。
【請求項２５】
前記上方胴部は，１対のストラップ部分を有しており，前記テリーループのステッチ構造は，この１対のストラップ部分中に編まれる請求項２２の方法。
【請求項２６】
前記テリーループのステッチ構造は，綿と，超極細のテクスチャード加工ナイロンと，連続的な多繊維のテクスチャード加工ナイロンとを構成しているグループから選定された，親水性の湿度のある芯となり得る織糸を有する請求項２２の方法。
【請求項２７】
前記胸固定バンドと前記上方胴部とにシームレスに結合された外側の上方胴部を形成することをさらに有する請求項２２の方法。
【請求項２８】
ほぼ円筒形のバンドを形成することと，
胸固定の前記バンドにシームレスに結合された下方エッジを備えたほぼ円筒形の内側上方胴部を形成することと，
胸固定の前記バンドにシームレスに結合された下方エッジを備えたほぼ円筒形の外側上方胴部を形成することと，
前記ほぼ円筒形の内側上方胴部又は前記ほぼ円筒形の外側上方胴部の少なくとも選定された部分に，テリーループのステッチ構造を編み込むこととを具備する，二層のブラジャーを製造するためのほぼ円筒形のシームレスの丸編みブランクを形成する方法。
【請求項２９】
前記選定された部分は，前記内側上方胴部である請求項２８の方法。
【請求項３０】
前記選定された部分は，前記外側上方胴部である請求項２８の方法。
【請求項３１】
前記テリーループは，トルーシンカーで形成されたテリーループ又はモックテリーループを有する請求項２８の方法。
【発明の詳細な説明】
【技術分野】
【０００１】
本発明は，布中に編み込まれたテリーループのステッチ構造と，ブラジャーを形成するためのブランクと，ブラジャーを形成するための方法とを有し，かつ前記ブランクが丸編機で形成されたブラジャーに関する。より詳細には，本発明は，丸編機よるブランクで形成され，テリーループのステッチ構造がブラジャーの１つ以上の選定された部分中に編み込まれている，単一層又は二層の円形編みブラジャーに関する。
【背景技術】
【０００２】
ブラジャーの製造においてほぼ円形のブランクの使用が知られている。例えば,ブラジャーとブラジャーのブランクとブラジャーのブランクの形成方法というタイトルの，Ｂｒｏｗｄｅｒ，Ｊｒ．名義の米国特許６，１２５，６６４号には，一層，二層のブラジャーを形成するための，円筒形のブランクの使用が説明されている。このブラジャーは，外側の布と内側の布とを有している。この内側の布のための織糸と編みステッチとは，着用者に快適性を与えるために提供されている。前記ブランクは，下方の縁飾りバンドが、外側の布に形成された上方胴部の下方エッジと，内側の布に形成された上方胴部の下方エッジとにシームレスに結合された状態の，ほぼ円筒形状に形成されている。前後のストラップ部分は，上方胴部に形成されている。
【０００３】
しかし，湿度，即ち汗の芯性と他の快適性とを提供する着用者と接触した布を有した，改良されたブラジャーの必要性が生じている。
【発明の開示】
【発明が解決しようとする課題】
【０００４】
本発明の目的は，テリーループのステッチ構造がブラジャー中に編まれた，シームレスの丸編みブラジャーを提供することである。
【０００５】
本発明の他の目的は，布の内層及び外層と，各層の下方エッジにシームレスに結合されたバンドと，これら層の少なくとも一方の選定された部分中に編み込まれたテリーループのステッチ構造とを有しているブランクで形成された，シームレスの二層の丸編みブラジャーを提供することである。
【０００６】
本発明の他の目的は，更に，ブラジャーの少なくとも胸カップエリア中に編み込まれたテリーループのステッチ構造又はモックテリーループのステッチ構造を使用している，実質的に異なる布の構造と織糸の組合せとで形成されたシームレスの丸編みブラジャーを提供することである。
【０００７】
本発明のさらなる目的は，ブラジャーの内層及び外層の一方の選定された部分に編み込まれた，トルーテリーループのステッチ構造又はモックテリーループのステッチ構造を使用している，実質的に異なる布の構造と織糸の組合せとで形成された内層及び外層を有する，シームレスの丸編みブラジャーを提供することである。
【０００８】
また，本発明のさらなる目的は，ブラジャーのテリーループのステッチ構造に，親水性の織糸を編み込むことにより，実質的に機能する快適性と湿度のある芯性とを着用者の体に与えるブラジャーを提供することである。
【０００９】
本発明のさらなる目的は，また，ブラジャーの選定されたエリア中に編み込まれたテリーループのステッチ構造を有している，単一層又は二層のブラジャーを製造するための単一ブランクを提供することである。
【００１０】
本発明のさらなる目的は，また，シームレスの丸編みブラジャーと，ブラジャーが着用された時に，着用者の体に快適なクッションを与えるように機能するブランクの少なくとも胸カップエリア中に，モックテリーステッチ構造又はトルーテリーステッチ構造が編み込まれたブランクとを形成する方法を提供することである。
【課題を解決するための手段】
【００１１】
本発明の以上の及び他の目的と効果とは，バンドにシームレスに結合された上方胴部を有し，かつテリーループのステッチ構造がこの上方胴体部の選定された部分中に編み込まれている，本発明に係わるブラジャーによって達せられているであろう。他の実施の形態において，前記上方胴部は，外側の布と内側の布とを有しており，各布はバンドに接続されており，テリーループのステッチ構造が内側の布又は外側の布の少なくとも選定された部分中に編み込まれている。
【００１２】
本発明の上記及び他の目的と効果と利点とは，以下に与えられた詳細な説明と，添付図面とを参照することで理解されるであろう。
【発明を実施するための最良の形態】
【００１３】
図面，特に，図１ないし図３を参照すると，符号１０で全体的に示された本発明に係わるブラジャーが与えられている。このブラジャー１０は，単一の布（ｆａｂｒｉｃ），即ち布層１４とバンド１６とで形成された上方胴部１２を有している。このブラジャー１０は，単一層のブラジャーである。前記布層１４は，この単一層中に編み込まれたテリーループ１８のステッチ構造（ｔｅｒｒｙ  ｌｏｏｐ１８  ｓｔｉｔｃｈ  ｃｏｎｓｔｒｕｃｔｉｏｎ）を有している。
【００１４】
前記上方胴部１２は，前記バンド１６に，シームレスの方法で一体的に結合されている。このバンド１６は，曲げられた縁飾りバンド（ｔｕｒｎｅｄ  ｗｅｌｔ  ｂａｎｄ），若しくは，固定胸バンド（ａｎｃｈｏｒｉｎｇ  ｃｈｅｓｔ  ｂａｎｄ）として形成されていることが好ましい。また，上方胴部１２は，胸カップ，即ちエリア２０と，１つ以上のストラップ２２とを有することができる。本発明の他の実施の形態では，上方胴部１２は，ストラップなしで，若しくは，上方胴部が形成された後に，この上方胴部１２に取着された１つ以上のストラップ２２を有するように形成されることができる。
【００１５】
前記布層１４は，ブラジャー１０の内層に適した材料を有しており，柔軟性，快適性，及び芯（ｗｉｃｋｉｎｇ）となる性質のために選定された織糸で形成されていることが好ましい。布層１４は，着用者に身体的な快適さとサポートとを与えるように，プレーンニット（ｐｌａｉｎ  ｋｎｉｔ），ミス（ｍｉｓｓ），フロート（ｆｌｏａｔ），並びに/若しくはタック（ｔｕｃｋ）からなるグループから選ばれた１つ以上の組合せの織糸を有している。このような布層１４は，比較的号数の高いデニールの多繊維，即ち約２０ないし約１２０デニールの超極細繊維を有したテクスチャード加工ナイロンか，綿番手が約３０/１ないし約７０/１のサイズ範囲内の綿のような紡績糸かで形成されている。このような糸は，柔軟性，快適性，及び所望の湿度を備えた芯性質を与える。さらに，布層１４は，前記ナイロン又は綿の非伸縮性の織糸と組み合わされてスパンデックスのような，弾性のある伸縮性の織糸を使用して形成されることができる。
【００１６】
前記布層１４は，単一の布の少なくとも選定されたエリアに編み込まれたテリーループ１８のステッチ構造を有している。このテリーループ１８のステッチ構造は，トルー（ｔｒｕｅ）テリーループ構造又はモック（ｍｏｃｋ）テリーループのステッチ構造を有していることが好ましい。テリーループ１８のステッチ構造は，モックテリーループとトルーテリーループとの組合せを有することもできる。テリーループ１８は，単一の布，即ち布層１４の所定の部分に編まれることもできる。例えば，図１は，布層１４の胸カップエリア２０中に編み込まれたテリーループ１８のステッチ構造を示している。また，このテリーループ１８は，ストラップ２２の少なくとも前部に編み込まれるか，又は，単一の布全体を含む布層１４のいずれの部分に編まれることができる。
【００１７】
前記テリーループのステッチ構造は，着用者の体に接触することができる。ブラジャー１０は，テリーループ１８と接触した着用者の体に，実質的に機能する快適性と湿度のある芯性とを与えることができる。このテリーループ１８は，適切な材料の親水性の織糸を有することができる。このような織糸は，綿，テクスチャード加工ナイロン，又は実質的に芯となり得る湿度性質を備えた連続的な多繊維のテクスチャード加工ナイロンで形成されるが，しかし，これらに限定されない。
【００１８】
前記バンド１６は，布層１４よりも高密度の材料により形成されることができる。バンド１６は，また，円形ニット編みプロセス中に，さらに高いデニールの露出した弾性のスパンデックス織糸，又は，好ましくはないが，バンド１６の織密度を，布層１４を形成するために使用された布及び織糸の密度よりも高くさせている，ナイロンで被覆されたスパンデックス織糸を加えることにより，例えば，曲げられた縁飾りバンド，並びに/若しくは，固定胸バンドとして形成されることもできる。
【００１９】
ブラジャー１０は，電子的にプログラム可能なデザイン性を有している，従来の丸編機で形成されている。このプログラムは，図２及び図３に示されたように，上方胴部３２と，下方バンド３４とを有したブランク３０を形成するように，１つ以上のステッチのタイプを与えている。このブランク３０は，イタリアのブレシア（Ｂｒｅｃｉａ）にあるＳａｎｔｏｎｉ（登録商標）社製のような丸編機のモデルＮｏ．ＳＭ８−８，又はＳＭ８−ＴＯＰのように，コンピュータ制御された電子針及び織糸の供給選択システム（ｅｌｅｃｔｒｏｎｉｃ  ｎｅｅｄｌｅ  ａｎｄ  ｙａｒｎ  ｆｅｅｄ  ｓｅｌｅｃｔｉｏｎ  ｓｙｓｔｅｍ）を好ましくは有した丸編機によって形成されている。前記ブランク３０は，ブラジャー１０の製造時に，ブラジャーの部分に対応した部分を有しているほぼ円筒形のチューブである。
【００２０】
前記ブランク３０は，一連の丸編みコースによって形成されている。前記上方胴部３２と下方バンド３４との両者のコースは，プレーンニットステッチ構造，即ちニットとミスとのステッチ構造，又はフロートステッチ構造の組合せを備えたコースプログラムを有していることが好ましい。この構造において，所定のコースのループは，さらなる織糸を取り入れることなく保持され，従って，次のコースに編み込まれる。これによって，コースが一緒にされ，バンド３４の特徴が与えられる。
【００２１】
前記上方胴部３２は，プレーン，タック，ミス，フロート，又はこれらいずれかの組合せのような，容易な編み構造で主に形成され得る単一の布，即ち布層３６を有している。上方胴部３２は，胸部エリア３８のサポートのような特別な機能を，ブランク３０の様々な位置に与えるように，適切に使用されることができる。バンド３４は，この上方胴部３２に，シームレスに結合されている。バンド３４は，好ましくは，弾性の織糸，即ち材料であり，さらに好ましくは，ナイロンで被膜されたスパンデックスとナイロンとの組合せで形成されている。この組合せには，さらなる追加の高いデニールスパンデックス織糸が，エリア３４のバンド構造の編みコースの少なくとも２５％に追加されている。
【００２２】
従って，前記上方胴部３２は，ストラップ４０と胸カップ３８とを規定するようにパターニングされている。このパターニングは，また，アームホールを形成するように外される，外側の移動可能なエリア４２と，ネックラインを形成するように外される，前後側の移動可能なエリア４４とを規定している。テリーループ４６のステッチ構造は，上方胴部３２に編まれている。テリーループ４６は，上方胴部３２の所望の部分に，一体的にステッチされることができる。このテリーループ４６のステッチ構造は，図２に示されたように，ブランク３０の胸カップエリア３８に編み込まれている。従って，ブラジャー１０は，アームホールを形成するように，側部の移動可能なエリア４２を外すことによって，また，ネックラインを形成するように，前後の取り外し可能なエリア４４を外すことによって構成されることができる。
【００２３】
全体的なブラジャー１０は，従来技術で知られた高速丸編機で形成されている，連続かつ一体的な円円筒形のブランク３０から構成されている。テリーループ４６のステッチ構造が，図２に示されたように，胸カップのエリア３８に少なくとも編み込まれている，若しくは，ストラップのエリア又は全体の布層に渡って続いている布層３６の使用により，快適性と芯性とをブラジャー１０の着用者に与えるという所定の特徴が得られる。
【００２４】
ブラジャー１０は，ブランク３０から形成されたシームレスの丸編みブラジャーであってよい。このブランクは，２つのストラップ２２と，アームホール２４と，ネックライン２６とが，パターニングによって規定され，また，湿度を逃がし，着用者への快適なクッションとなるように機能しているモックテリー又はトルーテリーステッチ構造１８が，少なくとも胸カップ部分２０に編み込まれているという，さらなる特徴を有している。バンド１６は，ブラジャー１０の上方胴部１２にシームレスに結合されている。
【００２５】
図４ないし図６には，本発明のブラジャー５０の第２の実施の形態が与えられている。このブラジャー５０は，多層構造即ち二層構造を有している。ブラジャー５０は，外側の布，即ち外層５２と，内側の布，即ち内層５４と，各層にシームレスに結合されたバンド５６とを有することができる。バンド５６は，縁飾り又は折り線のように形成されることができる。好ましくは，バンド５６は，バンドを形成している編みコースの少なくとも２５％に加えられている，さらなる追加の高いデニールスパンデックスを有した，曲げられた縁飾りである。ブラジャー５０は，前記外層５２又は内層５４の，選定されたエリアに編み込まれたテリーループ５８のステッチ構造を有している。
【００２６】
前記外層５２は，ブラジャー５０の外層に適した材料を有している。外層５２は，連続的な多繊維のフラット，即ちテクスチャード加工されたポリマーか，紡績糸かで形成されることが好ましい。外層５２は，また，露出したスパンデックス，又は多繊維のテクスチャード加工ナイロンの織糸で被膜されたスパンデックスのような，弾性の織糸を有していることが好ましい。織糸の組合せにより，紡績糸とスパンデックス織糸とを含み得る布が形成される。この紡績糸は，綿番手が約３０／１から約７０／１の範囲内の綿，又は，連続的な多繊維フラット，即ち約１０から約２００デニールの範囲内の，好ましくは約６０から約１２０デニールのナイロンのようなテクスチャード加工された織糸のようである。前記スパンデックス織糸は，約１０から約１４０デニール，好ましくは約１５から約７０デニールの，露出したスパンデックス織糸か，又はナイロンのような適切な連続的な多繊維のテクスチャード加工された合成織糸で被膜され得るスパンデックス織糸かである。
【００２７】
前記外層５２は，複数の編みステッチの１つ以上の組合せを使用している，丸編機で形成されている。これらステッチには，プレーンステッチ，タックステッチ，ニットステッチ，ミスステッチ，又はフロートステッチが含まれ得るが，しかし，これらに限定されるものではない。外層５２は，平坦な外観，又は任意で独特な美的及び識別可能な編込み特徴を有することができ，この編込み特徴には，ジャガードパターンデザイン（ｊａｃｑｕａｒｄ  ｐａｔｔｅｒｎ  ｄｅｓｉｇｎ），幾何学，様式化されたロゴ，抽象的，またはこれ以外のデザイン，即ち花柄のようなパターンが含まれるが，しかし，これらに限定されるものではない。
【００２８】
前記内層５４は，第１の実施の形態の単一な布の材料と同じ布構造を有することができる。この内層５４は，また，ブラジャー５０の形状の輪郭を描いているパターニング（図示されず）を有することができる。このパターニングは，裁断及び形成されるように，前記胸カップ６０，ネックライン６２，アームホール６３，並びに/若しくはストラップ６４のようなブラジャー５０の部分を規定している。胸カップ６０間の中心のまち（ｇｏｒｅ）エリアと，カップの下のエリアと，カップを包囲している下方エリアとが，また，さらなるサポート及び形状と快適性とをブラジャー５０の着用者に与えるように，離散的に配置かつ設計された短い伸縮ゾーンとして編まれることができる。
【００２９】
ブラジャー５０は，前記胸カップエリア６０に，所望であれば内層５４のストラップ６４の前部に編み込まれたテリーループ５８のステッチ構造を有している。このテリーループ５８のステッチ構造は，シンカー（ｓｉｎｋｅｒｓ）を使用して形成されたトルーテリーループ，又はモックテリーループである。テリーループ５８のステッチ構造は，ブラジャー５０の内層５４の着用者側に編み込まれることができる。本発明の他の実施の形態において，テリーループ５８のステッチ構造は，ブラジャー５０の選定された部分，例えば，胸カップエリア６０，全体に渡るストラップ６４，又は全体に渡るブラジャー５０に編み込まれることができる。
【００３０】
前記テリーループ５８のステッチ構造は，また，内層５４又は外層５２の所定の側に形成されることができる。例えば，本発明の他の実施の形態において，テリーループ５８のステッチ構造は，外側に面した部分の内層５４にテリーループ５８を編むことによって，内層５４と外層５２との間に位置されることができる。即ち，テリーループ５８は，着用者に面した部分の外層５２に編まれることができる。テリーループ５８のステッチ構造は，また，外側の外層５２に与えられることができる。テリーループ５８は，内層５４又は外層５２によって，所定の位置に編まれ，保持されている。そして，テリーループ５８のステッチ構造は，所定の位置に編まれた層の両側から突出しているであろう。しかし，大半のテリーループ５８のステッチ構造は，所定の位置に編まれた前記層５２，５４の片側のみから優先的に突出しているであろう。そしてこの片側は，ブラジャー５０のデザインに基づいて選ばれることができる。
【００３１】
本発明の他の実施の形態において，前記テリーループ５８のステッチ構造は，内層５４中に編み込まれることができ，次のテリーループのステッチ構造は，ブラジャー５０の外層５２中に編み込まれることができる。
【００３２】
図４及び図５では，ブラジャー５０は，ブランク７０から形成されることができる。ブランク７０は，高速の丸編機によって形成されており，ブラジャー５０の製造時に，このブラジャーの部分に対応した部分を有している，ほぼ円筒形のチューブである。
【００３３】
前記ブランク７０は，外層７２と，内層７４と，バンド８２と，これら層の少なくとも一方に編み込まれたテリーループ８０のステッチ構造とを有している。外層７２は，上方胴部７６と，ストラップ部分７８と，下方バンド８２にシームレスに結合されている下方エッジ８１とを有している。内層７４は，上方胴部８４と内側ストラップ８６とを有している。テリーループ８０のステッチ構造は，前記胸カップエリア８７と前部のストラップ８６とに編み込まれている。本発明の他の実施の形態において，テリーループ８０のステッチ構造は，内層７４の選定されたエリア，例えば，胸カップエリア８７のみに又は全体的な内層中に編み込まれることができる。本発明のさらなる実施の形態において，テリーループ８０のステッチ構造は，外層の上方胴部７６の選定されたエリア，例えば，胸カップエリアと全体的な外層７２のストラップエリア７８とに与えられることができる。テリーループ８０のステッチ構造は，また，各層７２，７４中に編み込まれることができる。
【００３４】
前記ブランク７０は，一連の円形編みコースによって形成されることができる。バンド８２のためのコースは，プレーンニットステッチを優先的に有しているコースプログラムを有することができるか，若しくは，プレーンニットミスステッチ構造，又はフロートステッチ構造の組合せを使用することができる。この構造では，所定コースの所定の縫い糸のループは，さらなる織糸がこれら所定の縫い糸に取り入れられ，従って次のコース中に編み込まれることなく保持されている。従って，これらコースは一緒にされ，下方バンド８２の外観及びステッチの特徴が得られる。
【００３５】
前記上方胴部７６，８４，は，プレーン，タック，ミス，フロート，又は，これらいずれかの組合せからなる，シンプルな編み構造で主に形成されている。バンド８２の編みステッチは，また，ブランク７０の様々な位置に，胸カップエリアを支持するような特別な特徴を与えるために，適切に使用されることができる。
【００３６】
ブラジャー５０を製造するために，前記ブランク７０は，丸編機で形成されている。また，ブランク７０は，バンド８２にシームレスに結合された内層の上方胴部７６と，同じバンド８２にシームレスに結合された外層の上方胴部８４とを有するように形成されている。テリーループ８０のステッチ構造は，内層の上方胴部８４の胸カップエリア８７中に編み込まれている。
【００３７】
従って，内層の上方胴部８４は，前記アームホールを規定するように移動される前記移動可能なエリア８８と，前記ネックラインを規定するように移動される前後の移動可能な部分９０とを規定するために，パターニングされることができる。外層の上方胴部７６は，また，アームホールを規定している前記移動可能なエリア９２と，ネックラインを規定している前後の移動可能なエリア９４とを規定するためにパターニングされている。
【００３８】
これらパターニングの後，前記外層の上方胴部７６は，内層の上方胴部８４を覆うように描かれている。従って，これら胴部７６，８４は，例えば，仮縫いによって結合されている。側方の移動可能なエリア８８，９２は，アームホールを形成するように，これら胴部７６，８４から裁断される。従って，前記前後の移動可能なエリア９０，９４は，ネックラインを形成するように移動される。この方法は，ブランク７０から形成された二層のブラジャー５０を提供する。
【００３９】
従って，本発明は，好ましい実施の形態を特に参照して説明されているが，添付された請求項に規定されたような，本発明の趣旨および範囲から逸脱することなく，様々な変更及び変形が成り立ち得ることは明白であろう。
【図面の簡単な説明】
【００４０】
【図１】本発明に係わった単一層のブラジャーの透視図である。
【図２】図１のブラジャーの製造に使用された，本発明に係わったほぼ円筒形のブランクの正面図である。
【図３】図２に係わったほぼ円筒形のブランクの後面図である。
【図４】本発明に係わった二層のブラジャーの透視図である。
【図５】図４のブラジャーの製造時に使用される，本発明に係わったほぼ円筒形のブランクの前方透視図である。
【図６】図５に係わったほぼ円筒形のブランクの後面図である。
【図１】
2006511720.tif 000003
【図２】
2006511720.tif 000004
【図３】
2006511720.tif 000005
【図４】
2006511720.tif 000006
【図５】
2006511720.tif 000007
【図６】
2006511720.tif 000008
【国際調査報告】
2006511720.tif 000009